(57)【特許請求の範囲】
【請求項１】
自立、壁掛共用型のケーブル分岐接続箱の背面カバー脱着構造であって、
前記ケーブル分岐接続箱を構成する枠体の背面は、前記枠体の上段と中段の左右に、前記壁掛型用として腕金に取付けられるための位置決めカラーを備え、
且つ、前記枠体の背面は、上下のコーナーと、前記中段の前記左右の位置決めカラーの上部とに、前記背面カバーをボルトにより取付けるためのネジ穴を備え、
前記背面カバーは、前記上段と中段の前記位置決めカラーの位置に切り欠き部４２を備え、
且つ、前記枠体の前記ネジ穴の位置にダルマ穴を備え、
さらに、前記上段と中段の切り欠き部の中間の位置に取手を備えることを特徴とするケーブル分岐接続箱の背面カバー脱着構造。
【発明の詳細な説明】
【技術分野】
【０００１】
本発明は、高圧ＣＶケーブルなどのケーブル接続部を収納して分岐させるための自立、壁掛共用型のケーブル分岐接続箱に係り、詳しくは、当該分岐接続箱の背面カバー脱着構造に関する。
【背景技術】
【０００２】
ケーブル分岐接続箱には、架台に設置されて使用される自立型、及び背面が腕金に取付けられ壁に設置される壁掛型があるが、従来のケーブル分岐接続箱は、共用を目的として、同じ構造の分岐接続箱が利用されていた。図２は、従来の自立、壁掛共用型ケーブル分岐接続箱の構成を示す構成図である。図２ａは、自立型ケーブル分岐接続箱における構成図である。図２ｂは、壁掛型ケーブル分岐接続箱における構成図である。
【０００３】
図２ａにおいて、従来のケーブル分岐接続箱は、枠体１０と上面カバー１５と左側面カバー２０と右側面カバー２５と正面扉３０と正面カバー３５と背面カバー５０とから成っている。上面カバー１５は、リングを有する牽引用ボルトにより枠体１０に固定され、背面カバー５０は、溶接により枠体１０に固定され、その他のカバーはだるま穴を具備し、ボルトにより枠体１０に固定されて、分岐接続箱の形状を構成し、架台９０に設置されて自立型として用いられる。また左右側面カバー２０、２５と正面カバー３５は、着脱を容易にするため、取手２７、３７をそれぞれ備えている。
【０００４】
図２ａのケーブル分岐接続箱が壁掛型として用いられる場合の構成を、つぎに説明する。図２ｂにおいて、溶接により枠体１０に固定された背面カバー５０は、腕金７０にボルトで取付けるための位置決めカラー５５がさらに溶接され、取付け前はゴムキャップ８０がはめられている。したがって、分岐接続箱が腕金７０に取付けられる場合は、ゴムキャップ８０がはずされ、ボルトにより腕金７０に取付けられて、壁掛型として用いられる。
【０００５】
そしてこの自立、壁掛共用型ケーブル分岐接続箱には、図２ａに示されるように、１２本のケーブル接続体６０が分岐接続箱の内部上面に取付けられており、これに所定のケーブル６５がそれぞれ分岐接続され、実用に供される。分岐接続について次に説明する。
【０００６】
図３は、従来の自立、壁掛共用型ケーブル分岐接続箱のケーブル接続体の上面を示す上面図である。上面カバー１５と左右側面カバー２０、２５と正面カバー３５とが取り払われ、正面扉３０が開放され、背面カバー５０は枠体１０に溶接されているため、固定されたままである。ところで、１２本のケーブル接続体６０にケーブル６５を接続する作業において、手前から２本目までのケーブルの接続は容易に行えるが、分岐接続箱の構造上から３本目以降は手が届き難くいため、正面カバー３５が取り払われ、正面扉３０が開放されただけでは作業性が悪く、特に背面カバー５０に沿った列の作業が困難であった。このため、図３に示されるように、さらに左右側面カバー２０、２５が取り払われて、３方向からの接続作業を可能としたが、３枚のカバーの取り外し、３方向からのケーブル接続、さらにカバーの付け直しと、接続工程が煩雑となり、作業性の問題が十分に解決されてはいなかった。
【０００７】
特許文献１は、奥行きが高さおよび横幅よりも小さく設定され、全体が板状形状の筐体として構成され、正面部は四角形の扉を横方向に上下に分割した構成からなる上部扉と下部カバー体とを備え、上部扉は天蓋部に接近した位置に横幅方向のヒンジ部を有して、正面部の手前から上方向に開かれて開閉自在となるように構成され、下部カバー体は取付け取り外しが自在な部材から構成される分岐接続箱の記載がある。
【先行技術文献】
【特許文献】
【０００８】
【特許文献１】特開２００９−１４２１０５号公報
【発明の概要】
【発明が解決しようとする課題】
【０００９】
本発明は、このような問題を解決するためになされたものであり、その目的は、自立型ケーブル分岐接続箱として作業性が容易な、自立、壁掛共用型のケーブル分岐接続箱の背面カバー脱着構造を提供する。
【課題を解決するための手段】
【００１０】
本発明の分岐接続箱の背面カバー脱着構造は、自立、壁掛共用型のケーブル分岐接続箱の背面カバー脱着構造であって、ケーブル分岐接続箱を構成する枠体の背面は、枠体の上段と中段の左右に、壁掛型用として腕金に取付けられるための位置決めカラーを備え、且つ、枠体の背面は、上下のコーナーと、中段の左右の位置決めカラーの上部とに、背面カバーをボルトにより取付けるためのネジ穴を備え、背面カバーは、上段と中段の位置決めカラーの位置に切り欠き部を備え、且つ、枠体のネジ穴の位置にダルマ穴を備え、さらに、上段と中段の切り欠き部の中間の位置に取手を備えることを特徴とする。
【発明の効果】
【００１１】
本発明によれば、自立型ケーブル分岐接続箱として作業性が容易な、自立、壁掛共用型のケーブル分岐接続箱の背面カバー脱着構造を提供することができる。
【図面の簡単な説明】
【００１２】
【図１】本発明による自立、壁掛共用型ケーブル分岐接続箱の背面カバー脱着構造図。
【図２】従来の自立、壁掛共用型ケーブル分岐接続箱の構成を示す構成図。
【図３】従来の自立、壁掛共用型ケーブル分岐接続箱のケーブル接続体の上面を示す上面を示す上面図。
【発明を実施するための形態】
【実施例】
【００１３】
本発明の実施の形態について、図を用いて説明する。図１は、本発明による自立、壁掛共用型のケーブル分岐接続箱の背面カバー脱着構造図である。図１において、自立、壁掛共用型のケーブル分岐接続箱の背面カバー４０が、図２の背面カバー５０とは異なり、その他の同じ構成については、説明を省略する。
【００１４】
図１において、自立、壁掛の共用型とするため、枠体１０の背面は、枠体１０の上段と中段に腕金７０に取付けるための位置決めカラー１２を、左右に１箇所ずつ備えている。また、枠体１０の背面のコーナー４箇所と、中段の位置決めカラー１２の上部２箇所に、背面カバー４０をボルトにより取付けるためのネジ穴１４を備えている。背面カバー４０は、これらの位置決めカラー１２の位置に切り欠き部４２を備え、ネジ穴１４の位置にダルマ穴４４を備えている。さらに、上段と中段の切り欠き部４２の中間の位置に取手４６を備えている。
【００１５】
背面カバー４０を枠体１０の背面に設置する場合、まず、６箇所のネジ穴１４に取付けボルトを取付ける。つぎに、取手４６を持ち、ボルトの頭をダルマ穴４４の下側の大きな穴に通し、枠体１０に仮掛けする。各々のダルマ穴４４の上側の小さな穴にボルトが完全に掛かっていることを確認して、ボルトを締め込み枠体１０に固定する。取り外しの場合は、この工程を逆に行う。これにより、背面カバー４０は、簡単に枠体１０の背面に着脱できる。壁掛型として用いる場合は、取付けられた背面カバー４０の切り欠き部４２に覗いている位置決めカラー１２に、図２ｂのように腕金７０の穴を合わせて、ボルトによりネジ止めする。
【００１６】
架台９０に設置されて自立型として用いる場合は、設置後、上記の要領で背面カバー４０を容易に取り外すことができる。これにより、図３の背面カバー５０が取り払われた状態となり、前後方向から、手前から２本目までのケーブルの接続作業ができるため、左右の側面カバー２０、２５を取り外さなくても容易に接続作業ができる。また、全てのカバーを取り外すことにより、前後左右の４方向から接続作業を行うことができるため、作業空間が広がり、接続作業は一層容易となる。
【００１７】
以上説明したように本発明によれば、背面カバー４０を取付けた状態でケーブル分岐接続箱を腕金７０に設置できる壁掛型として用いることができると共に、架台７０に設置した状態でケーブル分岐接続箱の背面カバー４０を容易に取り外し、手軽にケーブルの接続作業ができる自立型壁掛型として用いることができる。これらのことから、自立型壁掛型として作業性が良く、壁掛型としても従来どおりの施工方法により用いることのできる共用型のケーブル分岐接続箱の背面カバー脱着構造を提供することができる。
【符号の説明】
【００１８】
１０  枠体
１２  位置決めカラー
１４  ネジ穴
１５  上面カバー
２０  左側面カバー
２５  右側面カバー
２７  取手
３０  正面扉
３５  正面カバー
３７  取手
４０  背面カバー
４２  切り欠き部
４４  ダルマ穴
４６  取手
５０  背面カバー
５５  位置決めカラー
６０  ケーブル接続体
６５  ケーブル
７０  腕金
８０  ゴムキャップ
９０  架台
【図１】
0005610526.tif 000002
【図２】
0005610526.tif 000003
【図３】
0005610526.tif 000004